(57)【要約】【課題】  運搬や撤去作業が容易で、大型化が可能な木製パネル体を提供することを第１の目的とする。また、製造コストが低く、かつ木材資源を節約できる木製表示板を提供することを第２の目的とする。【解決手段】  縦枠１１，３１と上下枠１２，１３を着脱可能にし、木製パネル１０Ｂを構成する板材１６を縦枠１１の縦溝１１ａに抜脱可能に挿入する。縦枠、上下枠、板材に分解すれば、嵩張らず、運搬に便利である。また、現場で組み立てたり、いったん組み立てたものを分解して撤去することも容易であるので、パネル体の大型化が可能となるとともに、分解して再利用することで、木材資源の有効活用に資することができる。木枠１０Ｂを構成する縦枠１１、上下枠１２，１３を半丸太で構成する。間伐材の丸太を半分に分割したものを利用できるので、材料コストだけでなく、製材コストも低くなる。【選択図】    図１
2005111921.tif 000002
【特許請求の範囲】
【請求項１】
左右一対の縦枠と、両縦枠の上部を連結する上枠および両縦枠の下部を連結する下枠から成る木枠に複数枚の板材を組み付けてパネル面を構成した木製パネル体であって、前記両縦枠と上枠および下枠を着脱可能に連結し、前記各縦枠の内面に一本の縦溝を形成し、該縦溝に前記各板材の左右両端部の一方を抜脱可能に挿入して板材を組み付けたことを特徴とする木製パネル体。
【請求項２】
前記縦枠に、原木を縦に半分割した半丸太を使用し、該半丸太の分割面に前記縦溝を形成したことを特徴とする請求項１に記載の木製パネル体。
【請求項３】
左右一対の縦枠と、両縦枠の上部を連結する上枠および両縦枠の下部を連結する下枠から成る木枠に複数枚の板材を組み付けてパネル面を構成した木製パネル体であって、前記両縦枠と上枠および下枠を着脱可能に連結し、前記各縦枠の内外両側面のそれぞれに一本の縦溝を形成し、該縦溝に前記各板材の左右両端部の一方を抜脱可能に挿入して板材を組み付けたことを特徴とする木製パネル体。
【請求項４】
前記縦枠に原木を使用し、該原木に左右一対の縦平面を加工し、各縦平面に前記縦溝を形成したことを特徴とする請求項４に記載の木製パネル体。
【請求項５】
前記上枠の左右いずれか一方の端部に係合凸部を形成し、他方の端部に係合凹部を形成し、一の上枠の凸部が他の上枠の凹部に嵌合して一の上枠と他の上枠が連結されるように構成したことを特徴とする請求項４に記載木製パネル体。
【請求項６】
前記板材に表裏を連通する空気通路を形成したことを特徴とする請求項４に記載の木製パネル体。
【請求項７】
前記上枠及び／又は下枠に原木を縦に半分割した半丸太を使用したことを特徴とする請求項１又は請求項３に記載の木製パネル体。
【発明の詳細な説明】
【技術分野】
【０００１】
本発明は、看板、案内板、掲示板、道路標識、道路工事用防護柵等に用いられる木製パネル体に関する。
【背景技術】
【０００２】
従来、掲示板や道路標識に用いる木製パネル体は、木枠を構成する左右の縦枠や上下枠に角材を使用し、この木枠に合板等の木製パネルを釘等で固定している。
【特許文献１】特開２００２−１４９０９９号公報
【発明の開示】
【発明が解決しようとする課題】
【０００３】
従来の木製パネル体は嵩張るので、運搬に不便であり、撤去作業も面倒である。そのため大型化が困難である。また、再利用も困難なため木材資源を浪費する。
さらに、従来の木製パネル体は木枠に角材を使用するので、製材コストがかかり、そのため製造コストが高くなる。
【０００４】
本発明はかかる問題点に鑑み、運搬や撤去作業が容易で、大型化が可能な木製パネル体を提供することを第１の目的とする。また、製造コストが低く、かつ木材資源を節約できる木製はパネル体を提供することを第２の目的とする。
【課題を解決するための手段】
【０００５】
上記目的を達成するため本発明は左右一対の縦枠と、両縦枠の上部を連結する上枠および両縦枠の下部を連結する下枠から成る木枠に複数枚の板材を組み付けてパネル面を構成した木製パネル体であって、前記両縦枠と上枠および下枠を着脱可能に連結し、前記各縦枠の内面に一本の縦溝を形成し、該縦溝に前記各板材の左右両端部の一方を抜脱可能に挿入して板材を組み付けたことを特徴とする。
そして、好ましくは前記縦枠に、原木を縦に半分割した半丸太を使用し、該半丸太の分割面に前記縦溝を形成し、前記上枠及び／又は下枠に原木を縦に半分割した半丸太を使用する。
また、上記目的を達成するため本発明は、左右一対の縦枠と、両縦枠の上部を連結する上枠および両縦枠の下部を連結する下枠から成る木枠に複数枚の板材を組み付けてパネル面を構成した木製パネル体であって、前記両縦枠と上枠および下枠を着脱可能に連結し、前記各縦枠の内外両側面のそれぞれに一本の縦溝を形成し、該縦溝に前記各板材の左右両端部の一方を抜脱可能に挿入して板材を組み付けたことを特徴とする。
そして、好ましくは前記縦枠に原木を使用し、該原木に左右一対の縦平面を加工し、各縦平面に前記縦溝を形成し、前記上枠及び／又は下枠に原木を縦に半分割した半丸太を使用する。
また、好ましくは前記上枠の左右いずれか一方の端部に係合凸部を形成し、他方の端部に係合凹部を形成し、一の上枠の凸部が他の上枠の凹部に嵌合して一の上枠と他の上枠が連結されるように構成し、前記板材に表裏を連通する空気通路を形成する。
【発明の効果】
【０００６】
本発明によれば、縦枠と上下枠を着脱可能にし、パネル面を構成する板材を縦枠の縦溝に抜脱可能に挿入したので、縦枠、上下枠、板材に分解すれば、嵩張らず、運搬に便利である。また、現場で組み立てたり、いったん組み立てたものを分解して撤去することも容易であるので、パネル体の大型化が可能となるとともに、分解して再利用することで、木材資源の有効活用に資することができる。
そして、木枠を構成する縦枠、上下枠を半丸太で構成することで、間伐材の丸太を半分に分割したものを利用可能にする。そのため、材料コストだけでなく、製材コストも低くなるので、製造コストを大幅に低減できる。加えて、用途の限られた間伐材材を利用することで、木材資源のより一層の有効活用に資することができる。
また、縦枠の左右両側面に縦溝を形成したので、両縦溝に板材を組み付けることで、縦枠の内外両側にパネル面を形成することで、横にパネル面を延長できる。また、上枠の凸部と凹部を連結することで、パネル面の延長に合わせて上枠を連結し横に延長できる。
さらに、板材に空気通路を形成することで、風圧の影響を少なくし、風圧で木製パネル体が傾いたり倒れるのを防止する。
【発明を実施するための最良の形態】
【０００７】
本発明は、木枠とパネル面に杉や檜の間伐材を利用し、とくに木枠を構成する縦枠と上下枠には間伐材の原木を縦に半分に分割した半丸太を使用したり、縦枠に左右両縦溝を形成した間伐材の原木を使用することで、用途の限られた間伐材の有効利用を図るとともに、製材コストを節約し、もって製造コストを低減する。
【実施例１】
【０００８】
以下に本発明の実施例を図面に基づき説明する。図１には本発明の第１実施例に係る木製パネル体１０が示されている。当該木製パネル体１０は左右一対の縦枠１１と、両縦枠１１の上端部を連結する上枠１２、両縦枠１１の下部を連結する下枠１３から成る四角の木枠１０Ａと、この木枠１０Ａの内側に嵌め込まれたパネル面１０Ｂ及び一対の支柱１４から構成されている。木枠１０Ａとパネル面１０Ｂ及び支柱１４はいずれも間伐材を使用し、とくに縦枠１１、上下枠１２，１３及び支柱１４はいずれも間伐材の原木を縦に半分割した半丸太を使用している。
【０００９】
図２に示すように、縦枠１１の内側分割面にはその中央部に縦溝１１ａが形成されている。この縦溝１１ａは縦枠１１の上端面から下部にかけて形成され、縦溝１１ａの下端部には四角のホゾ穴１１ｂが形成されている。ホゾ穴１１ｂの底面中心部には貫通穴１１ｃが形成されている。縦枠１１の上端面の縦溝１１ａの開口付近には縦穴１１ｄが形成されている。縦枠１１の中間部に縦長平行四辺形のホゾ穴１１ｅと、このホゾ穴１１ｅに通じる貫通穴１１ｆが上下２箇所に形成されている。
【００１０】
図３に示すように、上枠１２の分割面の左右両端には縦枠１１の上端面の縦穴１１ｄに抜脱可能に嵌合する鉄棒１５が垂直に植え込まれて固着されている。
【００１１】
図４に示すように、下枠１３の左右両端面に、縦枠１１の四角のホゾ穴１１ｂに嵌合するホゾ１３ａが突設されている。下枠１３の反分割面側の両端部に四角の作業穴１３ｂが形成され、ホゾ１３ａの中心部に設けられた貫通穴１３ｃが作業穴１３ｂに通じている。
【００１２】
図５に示すように、支柱１４の上端面には縦枠中間部のホゾ穴１１ｅに嵌合するホゾ１４ａが突設され、ホゾ１４ａには上下２箇所に貫通穴１４ｂが形成されている。
【００１３】
パネル１０Ｂは間伐材を製材した複数枚の板材１６から構成される。
【００１４】
縦枠１１、上下枠１２，１３、支柱１４及びパネル面１０Ｂの構造は以上の通りであって、これらが以下の要領で組み立てられている。
図６に示すように、下枠１３の両端面のホゾ１３ａを縦枠１１のホゾ穴１１ｂに嵌合し、貫通穴１１ｃと貫通穴１３ｃにボルト１７Ａを通し、下枠１３の作業穴１３ｂに突出したボルト１７Ａ先端部にナット１８Ａを締め付けて両縦枠１１の下部を下枠１３で連結する。次いで、縦枠１１の中間部のホゾ穴１１ｅに支柱１４のホゾ１４ａを嵌合し、縦枠１１の貫通穴１１ｆとホゾ１４ａの貫通穴１４ｂにボルト１７Ｂを通して蝶ネジ１８Ｂで締め付け、縦枠１１に支柱１４を連結して、支柱１４で縦枠１１を土台に立てて支持する。次ぎに、縦枠１１の上端面開口から縦溝１１ａに板材１６を順に挿入した後、上枠１２の鉄棒１５を縦枠１１の縦穴１１ｄに嵌合して、両縦枠１１の上端部を上枠１２で連結する。こうして木製パネル体１０を組み立てる。
【００１５】
本実施例によれば、木枠１０Ａを構成する縦枠１１と上下枠１２，１３及び支柱１４に用途の限られた間伐材の半丸太を利用するので、低コストで製造できるうえ、木材資源の有効活用に資することができる。
また、現場でボルトとナット、蝶ネジを使って組み立てたり、いったん組み立てたものを分解できるので、運搬や撤去作業が容易である。加えて、パネル面１０Ｂを複数枚の板材１６で構成したので、パネル体１０の大型化が可能となる。さらに、再利用が可能であるため、より一層木材資源を有効活用できる。
【実施例２】
【００１６】
次ぎに、図７に本発明の第２実施例に係る木製パネル体２０を示す。当該木製パネル体２０は左右一対の縦枠２１と、中間枠２２、両縦枠２１及び中間枠２２の上端部を連結する上枠２３、両縦枠２１及び中間枠２２の下部を連結する下枠２４から成る四角の木枠２０Ａと、この木枠２０Ａの内側に嵌め込まれたパネル面２０Ｂ及び一対の支柱２５から構成されている。
【００１７】
第１実施例に係る木製パネル体１０と同じように、木枠２０Ａとパネル面２０Ｂ及び支柱２５はいずれも杉や檜の間伐材を使用している。また、縦枠２１、上下枠２３，２４及び支柱２５はいずれも間伐材の原木を縦に半分割した半丸太を使用している。
【００１８】
とくに、第２実施例では、コンクリート性土台２６に立設して固定した鉄棒２７が嵌合する縦穴２１ａが縦枠２１の下端面に形成されている。また、中間枠２２は図８に示すように、間伐材の原木を加工して両側面に平面２２ａを形成し、平面２２ａの中央部にパネル面２０Ｂを構成する板材２８を挿入するための縦溝２２ｂを形成し、中間枠２２の上下両端面に、上枠２３と下枠２４の中間部に植設した鉄棒が嵌合する縦溝を形成している。縦枠、２１、上下枠２３，２４の他の構成及び支柱２５の構成は第１実施例に係るパネル体１０の縦枠１１、上下枠１２，１３、支柱１４と同じであるので、詳細な説明は省略する。
【００１９】
第２実施例に係る木製パネル体２０は、コンクリート製土体２６の鉄棒２７を縦枠２１の縦穴２１ａに嵌合して縦枠２１を土台２６に立て、下枠２４で両縦枠２１の下部を連結する。次いで、下枠２４中間部の鉄棒に中間枠２２の縦穴２２ｂを嵌合して中間枠２２を下枠２４から立てる。続いて、縦枠２１の縦溝と中間枠２２の縦溝２２ｂに順に複数枚の板材２８を挿入した後、上枠２３で両縦枠２１と中間枠２２の上端部を連結する。そして、両縦枠２１に支柱２５を組み付けてパネル体２０に組み立てる。
【００２０】
第２実施例に係るパネル体２０は、中間枠２２を設けたので、パネル体２０の幅を廣くすることができる。また、コンクリート製土台２６と支柱２５で支持するので、風で倒れ難く、パネル体２０のより一層の大型化が可能となる。
【実施例３】
【００２１】
本発明の第３実施例に係るパネル体３０を図９に示す。当該木製パネル体３０は左右一対の縦枠３１と、両縦枠３１の上端部を連結する上枠３２、両縦枠３１の下部を連結する下枠３３から成る四角の木枠３０Ａと、この木枠３０Ａの内側に嵌め込まれたパネル面３０Ｂから構成される。木枠３０Ａとパネル面３０Ｂはいずれも間伐材を使用し、上下枠３２，３３は間伐材の原木を縦に半分割した半丸太を使用している。
【００２２】
図１０に示すように、縦枠３１は原木の両側面を切削して縦長の平面３１ａを内外両側面に形成し、各平面に一本の縦溝３１ｂを形成している。この縦溝３１ｂは縦枠３１の上端面から下部にかけて形成され、縦溝３１ｂの下端部には四角のホゾ穴３１ｃが形成され、ホゾ穴３１ｃの底面中心部に両ホゾ穴３１ｃを連通する貫通穴３１ｄが形成されている。縦枠３１の上端面の中心部に鉄棒３５が植設されている。また、縦枠３１の下端面の中心部に縦穴３１ｆが形成されている。
【００２３】
図１１に示すように、上枠３２の一端部にホゾ３２ａが凸設され、他端部に別の上枠３２のホゾ３２ａが嵌合するホゾ穴３２ｂが形成されている。ホゾ３２ａとホゾ穴３２ｂの中心部にそれぞれ、縦枠３１の鉄棒３５が挿通される貫通穴３２ｃ，３２ｄが形成されている。
【００２４】
図１２に示すように下枠３３の左右両端面に、縦枠３１の四角のホゾ穴３１ｃに嵌合するホゾ３３ａが突設されている。下枠３３の反分割面側の両端部に四角の作業穴３３ｂが形成され、ホゾ３３ａの中心部に設けられた貫通穴３３ｃが作業穴３３ｂに通じている。
【００２５】
パネル３０Ｂは間伐材を製材した複数枚の板材３４から構成される。図９に示すように各板材３４の下端部には空気通路となる切欠部３４ａが形成されている。
【００２６】
縦枠３１、上下枠３２，３３及びパネル面３０Ｂの構造は以上の通りであって、これらを以下の要領で組み立てる。
縦枠３１の下端部の縦穴３１ｆにコンクリート土台３６に立設した鉄棒３７を嵌合して縦枠３１を土台に立て、縦枠３１の両ホゾ穴３１ｃに下枠３３のホゾ３３ａを嵌合し、下枠３３の貫通穴３３ｃと縦枠３１の貫通穴３１ｄにネジ棒３８を挿通し、下枠３３の作業穴３３ｂからネジ棒３８の両端にナットを締め付けて縦枠３１に下枠３３の一端を組み付ける。同様にして、隣り合う縦枠３１をコンクリート土台３６に立て、下枠３３の他端を縦枠３１に組み付けて、二本の隣り合う縦枠３１を下枠３３で連結する。
【００２７】
次ぎに、縦枠３１の上端面開口から縦溝３１ｂに板材３４を順に挿入した後、
隣接する上枠３２のホゾ穴３２ｂに上枠３２のホゾ３２ａを嵌合して貫通穴３２ｃと貫通穴３２ｄを整列させ、両貫通穴３２ｃ，３２ｄを縦枠３１の鉄棒３５に嵌合する。こうして隣接する上枠３２同士を連結するとともに、上枠３２で隣り合う縦枠３１を連結して木製パネル体３０を組み立てる。
【００２８】
本実施例によれば、縦枠３１の両側面に板材３４を嵌合する縦溝３１ｂを形成したので、パネル面３０Ｂを横に繋げて延長できる。このため、工事用防護柵として使用するに好適である。また、板材に空気通路３４ａを形成したので、横に延長しても風圧の影響を少なくしてパネル体３０が倒れたり傾くのを防止できる。
【産業上の利用可能性】
【００２９】
本発明は、看板、案内板、掲示板、道路標識、工事用標識、工事用防護柵等に利用できる。
【図面の簡単な説明】
【００３０】
【図１】本発明の第１実施例に係る木製パネル体を示す斜視図である。
【図２】第１実施例に係る木製パネル体の縦枠を示す斜視図である。
【図３】第１実施例に係る木製パネル体の上枠を示す斜視図である。
【図４】第１実施例に係る木製パネル体の下枠を示す斜視図である。
【図５】第１実施例に係る木製パネル体の支柱を示す斜視図である。
【図６】第１実施例に係る木製パネル体を示す分解斜視図である。
【図７】本発明の第２実施例に係る木製パネル体を示す斜視図である。
【図８】第２実施例に係る木製パネル体の中間枠を示す斜視図である。
【図９】本発明の第３実施例に係る木製パネル体を示す斜視図である。
【図１０】第３実施例に係る木製パネル体の縦枠を示す斜視図である。
【図１１】第３実施例に係る木製パネル体の上枠を示す斜視図である。
【図１２】第３実施例に係る木製パネル体の下枠を示す斜視図である。
【符号の説明】
【００３１】
１０，２０，３０…木製パネル体、１１，２１，３１…縦枠、１１ａ，３１ｂ…縦溝、１２，２３，３２…上枠、１３，２４，３３…下枠、１６，２８，３４…板材
【図１】
2005111921.tif 000003
【図２】
2005111921.tif 000004
【図３】
2005111921.tif 000005
【図４】
2005111921.tif 000006
【図５】
2005111921.tif 000007
【図６】
2005111921.tif 000008
【図７】
2005111921.tif 000009
【図８】
2005111921.tif 000010
【図９】
2005111921.tif 000011
【図１０】
2005111921.tif 000012
【図１１】
2005111921.tif 000013
【図１２】
2005111921.tif 000014